(57)【要約】  本発明は、ディジタル加入者線として共用される加入者線を介して加入者を収容する交換局に備えられる網インタフェース装置と、その網インタフェース装置において系構成を行う系構成装置と、この系構成装置に併せて上述した網インタフェース装置が複数個備えられて構成されたディジタル加入者線多重化装置とに関する。本発明の目的は、基本的な構成が変更されることなく、安価に、かつ確実に系構成の更新の高速化が図られる点にある。本発明にかかわる網インタフェース装置は、ディジタル加入者線とバックボーンネットワークとのインタフェースをとり、外部から通知され、かつ網インタフェース装置の立ち上げに要する時間の短縮に適用可能な情報を蓄積する記憶手段と、外部から指定されたときに、蓄積された情報に基づいて立ち上げを図る制御手段とを備えて構成される。【特許請求の範囲】
【請求項１】
ディジタル加入者線とバックボーンネットワークとのインタフェースをとる網インタフェース装置において、
外部から通知され、かつ前記網インタフェース装置の立ち上げに要する時間の短縮に適用可能な情報を蓄積する記憶手段と、
外部から指定されたときに、前記蓄積された情報に基づいて前記立ち上げを図る制御手段と
を備えたことを特徴とする網インタフェース装置。
【請求項２】
ディジタル加入者線とバックボーンネットワークとのインタフェースをとる網インタフェース装置において、
前記網インタフェース装置と異なる他の網インタフェース装置の識別子と、前記識別子と共に通知され、かつ前記網インタフェース装置の立ち上げに要する時間の短縮に適用可能な情報との対を蓄積する記憶手段と、
前記記憶手段に蓄積された対の内、外部から指定された識別子に対応する対に含まれる情報に基づいて前記立ち上げを図る制御手段と
を備えたことを特徴とする網インタフェース装置。
【請求項３】
ディジタル加入者線とバックボーンネットワークとのインタフェースをとる網インタフェース装置において、
前記網インタフェース装置の立ち上げが完了したときに、前記立ち上げの過程で取得され、かつ前記立ち上げに要する時間の短縮に適用可能な情報を外部に通知する通知手段を備えた
ことを特徴とする網インタフェース装置。
【請求項４】
ディジタル加入者線とバックボーンネットワークとのインタフェースをとる網インタフェース装置において、
前記網インタフェース装置の立ち上げが完了したときに、前記立ち上げの過程で取得され、かつ前記立ち上げに要する時間の短縮に適用可能な情報を所定の頻度で外部に通知する通知手段を備えた
ことを特徴とする網インタフェース装置。
【請求項５】
ディジタル加入者線とバックボーンネットワークとのインタフェースをとる網インタフェース装置において、
前記網インタフェース装置の立ち上げの過程で取得され、かつ前記立ち上げに要する時間の短縮に適用可能な情報に基づいて前記網インタフェース装置の再度の立ち上げが完了する度に、前記情報を外部に通知する通知手段を備えた
ことを特徴とする網インタフェース装置。
【請求項６】
ディジタル加入者線とバックボーンネットワークとのインタフェースをとる網インタフェース装置において、
前記インタフェースの過程で特定の事象が生起したときに、前記特定の事象に先行して行われた立ち上げに供され、その立ち上げに要する時間の短縮に適用可能な情報を外部に通知する通知手段を備えた
ことを特徴とする網インタフェース装置。
【請求項７】
請求項６に記載の網インタフェース装置において、
前記特定の事象は、
前記網インタフェース装置の障害、または前記インタフェースの妨げとなる障害である
ことを特徴とする網インタフェース装置。
【請求項８】
請求項３ないし請求項７の何れか１項に記載の網インタフェース装置において、
前記外部は、
前記網インタフェース装置と共に冗長に備えられた複数の網インタフェース装置の系構成を行う系構成制御手段である
ことを特徴とする網インタフェース装置。
【請求項９】
請求項３ないし請求項７の何れか１項に記載の網インタフェース装置において、
前記外部は、
前記網インタフェース装置と共に冗長に備えられ、前記網インタフェース装置の代替に供される予備の網インタフェース装置である
ことを特徴とする網インタフェース装置。
【請求項１０】
ディジタル加入者線とバックボーンネットワークとのインタフェースに供され、かつ冗長に備えられた複数の網インタフェース装置の系構成を行う系構成制御装置において、
前記複数の網インタフェース装置が個別に立ち上げの過程で取得し、前記立ち上げに要する時間の短縮に適用可能な情報を蓄積する蓄積手段と、
前記複数の網インタフェース装置の内、現用の網インタフェース装置の障害が検出されたときに、前記現用の網インタフェース装置の代替に供される予備の網インタフェース装置に、前記現用の網インタフェース装置に対応づけられて前記蓄積手段に蓄積されている情報を引き渡す情報引き渡し手段と
を備えたことを特徴とする系構成制御装置。
【請求項１１】
ディジタル加入者線とバックボーンネットワークとのインタフェースに供され、かつ冗長に備えられた複数の網インタフェース装置の系構成を行う系構成制御装置において、
前記複数の網インタフェース装置の内、特定の網インタフェース装置によって通知され、かつ前記特定の網インタフェース装置が立ち上げの過程で取得すると共に、前記立ち上げに要する時間の短縮に適用可能な情報を前記特定の網インタフェース装置の代替に供される予備の網インタフェース装置に引き渡す情報引き渡し手段と
を備えたことを特徴とする系構成制御装置。
【請求項１２】
ディジタル加入者線とバックボーンネットワークとのインタフェースに供され、かつ冗長に備えられた複数の網インタフェース手段と、
前記複数の網インタフェース手段の系構成を行う系構成制御手段とを備え、
前記系構成制御手段は、
前記複数の網インタフェース手段が個別に立ち上げの過程で取得し、かつ前記立ち上げに要する時間の短縮に適用可能な情報を蓄積する情報蓄積手段と、
前記複数の網インタフェース手段の内、現用の網インタフェース手段の障害が検出されたときに、前記系構成の下で前記現用の網インタフェース手段の代替に供される予備の網インタフェース手段に、前記現用の網インタフェース手段に対応づけられて前記情報蓄積手段に蓄積されている情報を引き渡す情報引き渡し手段とを有する
ことを特徴とするディジタル加入者線アクセス多重化装置。
【請求項１３】
ディジタル加入者線とバックボーンネットワークとのインタフェースに供され、かつ冗長に備えられた複数の網インタフェース手段を備え、
前記複数の網インタフェース手段の内、特定の網インタフェース手段は、
これらの複数の網インタフェース手段の系構成を行い、現用系に該当する特定の網インタフェース手段の代替に前記系構成の下で供される予備の網インタフェース手段に、前記特定の網インタフェース手段が立ち上げの過程で取得し、かつ前記立ち上げに要する時間の短縮に適用可能な情報を引き渡す
を備えたことを特徴とするディジタル加入者線アクセス多重化装置。
【請求項１４】
請求項１３に記載のディジタル加入者線アクセス多重化装置において、
前記特定の網インタフェース手段は、
前記現用系としての稼働が妨げられる要因が発生したときに、前記予備の網インタフェース手段に、前記特定の網インタフェース手段が立ち上げの過程で取得し、その立ち上げに要する時間の短縮に適用可能な情報を引き渡す
ことを特徴とするディジタル加入者線アクセス多重化装置。
【請求項１５】
ディジタル加入者線とバックボーンネットワークとのインタフェースに供され、かつ冗長に備えられた複数の網インタフェース手段と、
前記複数の網インタフェース手段の系構成を行う系構成制御手段とを備え、
前記複数の網インタフェース手段の内、前記系構成の下で現用系に該当する網インタフェース手段は、
個別に立ち上げの過程で取得し、かつ前記立ち上げに要する時間の短縮に適用可能な情報を前記系構成の下で予備系に該当する網インタフェース手段に引き渡し、
前記予備系に該当する網インタフェース手段は、
前記現用系に該当する網インタフェース手段によって引き渡された情報の内、前記系構成に基づく代替の対象となる網インタフェース手段によって引き渡された情報に基づいて立ち上げを図る
ことを特徴とするディジタル加入者線アクセス多重化装置。
【請求項１６】
請求項１５に記載のディジタル加入者線アクセス多重化装置において、
前記現用系に該当する網インタフェース手段は、
前記現用系としての稼働が妨げられる要因が発生したときに、前記予備系に該当する網インタフェース手段に、前記特定の網インタフェース手段が立ち上げの過程で取得し、その立ち上げに要する時間の短縮に適用可能な情報を引き渡す
ことを特徴とするディジタル加入者線アクセス多重化装置。
【発明の詳細な説明】
【技術分野】
【０００１】
本発明は、ディジタル加入者線として共用される加入者線を介して加入者を収容する交換局において、個々のディジタル加入者線とバックボーンネットワークとの間のインタフェースに供され、かつ冗長に配置された網インタフェース装置と、これらの網インタフェース装置の系構成を行う系構成装置と、その系構成装置に併せて上述した網インタフェース装置が複数個備えられて構成されたディジタル加入者線多重化装置とに関する。
【背景技術】
【０００２】
近年、多くの加入者線交換局には、加入者線のディジタル加入者線としての共用による高速のデータ通信サービスを多数の加入者に提供するために、多数のディジタル加入者線とバックボーンネットワークとの間のインタフェースを並行してとるディジタル加入者線アクセス多重化装置(ＤＳＬＡＭ:Digital Subscriber Line Access Multiplexer）が備えられている。【０００３】
図８は、ディジタル加入者線を介してデータ通信サービスの提供を実現する宅内および電話局の設備の構成例を示す図である。
図において、加入者の宅内１０-1〜１０-nに備えられた設備は、それぞれ加入者線２１-1〜２１-nを介して電話局３０に接続され、その電話局３０は、バックボーンネットワーク５０に接続される。【０００４】
加入者の宅内１０-1〜１０-nの内、例えば、宅内１０-1に備えられる設備は、下記の要素から構成される。
・  加入者線２１-1の一端を終端するスプリッタ１１-1
・  スプリッタ１１-1の一方の端子に接続された電話機１２-1
・  スプリッタ１１-1の他方の端子（以下、「高域端子」という。）に接続されたＡＤＳＬモデム１３-1
・  ＡＤＳＬモデム１３-1のディジタルポートに接続されたパーソナルコンピュータ（ＰＣ）１４-1
なお、宅内１０-2〜１０-nの設備の構成については、宅内１０-1に備えられた設備と同じであるので、ここでは、その説明および図示を省略する。【０００５】
電話局３０には、下記の要素が備えられる。
・  図示されない加入者線交換機の対応するライン回路に接続された一方の端子を有し、かつ加入者線２１-1〜２１-nの他端に個別に接続されたスプリッタ３１-1〜３１-n
・  スプリッタ３１-1〜３１-nが個別に有する他方の端子（以下、「高域端子」という。）に接続されたディジタル加入者線アクセス多重化装置（ＤＳＬＡＭ）４０
・  ディジタル加入者線アクセス多重化装置４０に備えられ、かつ上述したスプリッタ３１-1〜３１-nの高域端子に個別に対応した第１ないし第ｎの「ライン端子」と、後述する第（ｎ＋１）の「ライン端子」とにそれぞれ接続された多重化部３２
・  その多重化部３２に縦続接続され、かつ既述のバックボーンネットワーク５０に接続されたルータ３３
また、ディジタル加入者線アクセス多重化装置４０は、下記の要素から構成される。
・  スプリッタ３１-1〜３１ｎの高域端子にそれぞれ接続された共通接点を有するスイッチ４１-1〜４１-n
・  共通接点とメイク接点との双方が何れの回路も接続されず、かつブレーク接点が上述したスイッチ４１-1〜４１-nのメイク接点の全てに直結されたスイッチ４１-(n+1)
・  これらのスイッチ４１-1〜４１-(n+1)のブレーク接点にそれぞれ接続された入出力端子を有し、かつ上述した第１ないし第（ｎ＋１）の「ライン端子」にそれぞれ該当する入出力端子を有するインタフェース盤４２-1〜４２-(n+1)
・  内部バス４３を介してインタフェース盤４２-1〜４２-(n+1)のバス端子に接続され、かつスイッチ４１-1〜４１-(n+1)の制御入力に個別に接続された出力ポートを有する制御部４４
このような構成のディジタル加入者線アクセス多重化装置４０では、制御部４４は、始動時に、スイッチ４１-1〜４１-(n+1)の全ての共通接点をブレーク接点に接続し、かつインタフェース盤４２-1〜４２-(n+1)の監視制御を所定の頻度で行う。【０００６】
このような状態では、インタフェース盤４２-(n+1)は、スプリッタ３１-1〜３１-nの「高域端子」の何れにも接続されず、「予備のインタフェース盤」として確保される。
一方、インタフェース盤４２-1〜４２-nは、スプリッタ３１-1〜３１-nの「高域端子」にそれぞれスイッチ４１-1〜４１-nを介して接続されることによって、「現用のインタフェース盤」として稼働する。【０００７】
以下、インタフェース盤４２-1〜４２-nに共通の事項については、添え番号「１」〜「ｎ」の何れにも該当し得ることを意味する添え文字「ｃ」を符号に付加して既述する。
「現用のインタフェース盤」であるインタフェース盤４２-cを介して実現される高速のデータ伝送サービスの過程における各部の動作は、以下の通りである。
宅内１０-cに備えられたスプリッタ１１-cと電話局３０に備えられたスプリッタ３１-cとは、電話系の信号方式に適合した低い周波数帯域（以下、「低域」という。）と、ＡＤＳＬに基づく高速のデータ伝送に適合した高い周波数帯（以下、「高域」という。）とにおいて加入者線２１-cを共用することによって、これらの「低域」と「高域」とにおける伝送を並行して実現する。【０００８】
宅内１０-cでは、パーソナルコンピュータ１１-cは、ＣＳＭＡ/ＣＤ(Carrier Sense Multiple Access with Collision Detection) 方式に基づいて所望の情報の送受をパケットの単位に高速に行う。ＡＤＳＬモデム１３-cは、このようなＣＳＭＡ／ＣＤ方式と、上述した「高域」においてＡＤＳＬを実現する変復調方式とのインタフェースをとる。
電話局３０では、このようなＡＤＳＬを介して伝送される高域の信号（以下、「ＡＤＳＬ信号」という。）は、スプリッタ３１-cの高域端子とスイッチ４１-cとを介してインタフェース盤４２-cに引き渡される。【０００９】
インタフェース盤４２-cは、その「ＡＤＳＬ信号」と、多重化部３２によって行われる多重化／逆多重化の方式に適合した信号（ここでは、「ＡＴＭ信号」であると仮定する。）との双方向の変換を行う。
このような「ＡＴＭ信号」は、上述した多重化／逆多重化と、ルータ３３によって行われるルーティングの下でバックボーンネットワーク５０と相互に引き渡される。  また、制御部４４は、インタフェース盤４２-1〜４２-(n+1)の監視制御の下で、例えば、インタフェース盤４２-1に障害が発生し（図９(1))、かつ「予備のインタフェース盤」であるインタフェース盤４２-(n+1)が正常である場合には、下記の処理を行う。
・  スイッチ４１-1の共通接点をメーク接点に接続することによって、インタフェース盤４２-(n+1)にスプリッタ３１-1の高域端子を接続する（図９(2))。
・  内部バス４３を介してそのインタフェース盤４２-(n+1)に、「現用のインタフェース盤」としての稼働の開始を指令する（図９(3)）。【００１０】
インタフェース盤４２-(n+1)は、このような指令に応じて下記の「ハンドシェーク」および「トレーニング」を含む初期化処理を行うことによって、宅内１０-1に備えられたＡＤＳＬモデム１３-1との間に、スイッチ４１-1、スプリッタ３１-1および加入者線２１-1を介して代替の通信路を確立する。
・  ディジタル加入者線を介する伝送が「ＡＤＳＬ方式」に基づいて行われることを特定し、かつインタフェース盤４２-(n+1)においてディジタル信号処理を行うＤＳＰ（図示されない。）に、その「ＡＤＳＬ方式」に適合したファームウエアをロードする「ハンドシェーク」
・  インタフェース盤４２-(n+1)を介してＡＤＳＬモデム１３-1と連係することによって、加入者線２１-1の高域に形成される伝送路の伝送特性（損失等を含む。）と伝送品質との双方に適合した伝送速度を決定する「トレーニング」
すなわち、ディジタル加入者線アクセス多重化装置４０では、制御部４４が行う監視制御および系構成制御の下で、加入者線２１-1〜２１-nに個別に対応したｎ個のインタフェース盤４２-1〜４２-nの内、何れに障害が発生した場合であっても、該当するインタフェース盤が予備のインタフェース盤４２-(n+1)で代替される。【００１１】
したがって、信頼性が高められ、かつサービス品質が高く維持される。
なお、本発明に関連する先行技術としては、後述する特許文献１〜３および非特許文献１に掲載される以下の先行技術がある。
・  「ＡＤＳＬモデムに接続された電話回線上のエラーを検出し、かつ該エラーの原因が電話回線に接続された受話器のオフフックからオンフックへの変化、電話回線上の極性反転信号、受話器のオンフックからオフフックへの変化を起点としてダイヤルパルス待機時間より長い所定のハンドシェーク待機時間がタイムアウトした場合、またはハンドシェーク待機時間内に電話回線上の所定の電話回線信号を検出した場合に、ファーストリトレーニングシーケンスに移行する点に特徴があるＡＤＳＬモデムにおけるファーストリトレーニング方法、装置及び記憶媒体」…特開２０００−２９５３６４号公報
・  「N個の現用センター装置と１つの予備センター装置を有するＮ＋１冗長構成の複数のセンター装置が配置されるＬＡＮセンターにより、ＣＡＴＶ伝送路側にケーブルモデムを通して接続された端末装置が、ＬＡＮセンターを通して所定のネットワークと接続され、監視対象となる複数の現用センター装置および予備センター装置の制御情報を保持し、Ｎ個の現用センター装置を定期的にポーリングすることにより、一のセンター装置の障害を検出し、障害の検出された障害センター装置を、予備センター装置に切り替えて、複数のセンター装置とＣＡＴＶ伝送路を接続し、障害が検出された障害センター装置の保持された制御情報を、予備センター装置に転送し、予備センター装置を該転送された制御情報を基に稼働状態とするセンター装置の切り替え方法およびこれを用いたケーブルモデムシステム」…特開平１１−２１５１５０号公報
・  「ケーブルモデムと複数のＣＭＴＳモジュールが１本のケーブルで接続され、ＣＭＴＳの一方が他方に対しバックアップとして機能すると共に、各ＣＭＴＳは、ケーブルモデムによりアクセス可能なケーブルチャネルの内の自分に割り当てられた１つのチャネル上にＤＳＣを同時に放送し、ケーブルモデムに対しては主ＤＳＣを提供するように割り当てられ、各ケーブルモデムは、その主ＣＳＤに加えて、別のＤＳＣが割り当てられ、この別のＤＳＣは、主ＣＭＴＳとは別のケーブルに接続されたＣＭＴＳにより与えられ、その結果ケーブルモデムの主ＤＳＣが無効となったときには、ケーブルモデムは別のＣＭＴＳにより与えられる別のＤＳＣに切り替えられ、バックアップとして動作する点に特徴がある主ダウンストリームチャネルを採用するために割り当てられたケーブルモデムで使用される方法」…特開２００２−２４７５５４号公報
・  「スプリッターレス非対象ディジタル加入者線（ＡＤＳＬ）送受信機について、スプリッタを必要としない規定を許容する手順を含み、局者と加入者宅で省電力を達成するためのパワーマネージメント手順やリンク状態が規定された勧告」…ＩＴＵ−Ｔ勧告Ｇ．９９２．２
【特許文献１】特開２０００−２９５３６４号公報
【特許文献２】特開平１１−２１５１５０号公報
【特許文献３】特開２００２−２４７５５４号公報
【非特許文献１】ＩＴＵ−Ｔ勧告Ｇ．９９２．２
【発明の開示】
【発明が解決しようとする課題】
【００１２】
ところで、上述した従来例では、障害が発生したインタフェース盤４２-1に代わって適用されたインタフェース盤４２-(n+1)とＡＤＳＬモデム１３-1との間における代替の通信路は、既述の「ハンドシェーク」や「トレーニング」を含む初期化処理に要する３０秒ないし６０秒程度の時間が経過した後でなければ確立せず、そのために、伝送品質およびサービス品質が著しく低下する可能性が高かった。【００１３】
本発明は、基本的な構成が変更されることなく、安価に、かつ確実に系構成の更新の高速化が図られる網インタフェース装置、系構成制御装置およびディジタル加入者線アクセス多重化装置を提供することを目的とする。
【課題を解決するための手段】
【００１４】
第一の発明では、ディジタル加入者線とバックボーンネットワークとのインタフェースをとる網インタフェース装置において、記憶手段は、外部から通知され、かつ網インタフェース装置の立ち上げに要する時間の短縮に適用可能な情報を蓄積する。制御手段は、外部から指定されたときに、蓄積された情報に基づいて立ち上げを図る。
すなわち、本発明にかかわる網インタフェース装置の立ち上げは、上述したように外部から通知された情報に基づいて開始されるので、その情報が与えられない場合に比べて短時間に完了する。【００１５】
したがって、外部で行われる系構成制御の下で高速に始動し、または障害が発生した他の網インタフェース装置の代替が速やかに実現される。
第二の発明では、ディジタル加入者線とバックボーンネットワークとのインタフェースをとる網インタフェース装置において、記憶手段は、網インタフェース装置と異なる他の網インタフェース装置の識別子と、その識別子と共に通知され、かつ網インタフェース装置の立ち上げに要する時間の短縮に適用可能な情報との対を蓄積する。制御手段は、記憶手段に蓄積された対の内、外部から指定された識別子に対応する対に含まれる情報に基づいて立ち上げを図る。【００１６】
すなわち、本発明にかかわる網インタフェース装置の立ち上げは、上述した他の網インタフェース装置の数が多い場合であっても、既述の通りに外部から通知された情報に基づいて開始される。
したがって、上記の立ち上げが第一の発明と同様に短時間に完了し、かつ障害が発生した他の網インタフェース装置の代替が速やかに実現される。【００１７】
第三の発明では、ディジタル加入者線とバックボーンネットワークとのインタフェースをとる網インタフェース装置において、通知手段は、網インタフェース装置の立ち上げが完了したときに、立ち上げの過程で取得され、かつ立ち上げに要する時間の短縮に適用可能な情報を外部に通知する。
すなわち、このような情報を取得した他の網インタフェース装置は、本発明にかかわる網インタフェース装置の代替に供される網インタフェース装置として、速やかに立ち上げを完了できる。【００１８】
したがって、これらの網インタフェース装置を含んで構成される装置は、所望の系構成制御の下で系構成の更新を速やかに完結でき、総合的な信頼性が高められる。
第四の発明では、ディジタル加入者線とバックボーンネットワークとのインタフェースをとる網インタフェース装置において、通知手段は、網インタフェース装置の立ち上げが完了した後に、立ち上げの過程で取得され、かつその立ち上げに要する時間の短縮に適用可能な情報を所定の頻度で外部に通知する。【００１９】
すなわち、このような情報が更新される場合であっても、その情報を取得した他の網インタフェース装置は、本発明にかかわる網インタフェース装置の代替に供される網インタフェース装置として、速やかに立ち上げを完了できる。
したがって、これらの網インタフェース装置を含んで構成される装置は、所望の系構成制御の下で系構成の更新を速やかに完結でき、総合的な信頼性が高められる。【００２０】
第五の発明では、ディジタル加入者線とバックボーンネットワークとのインタフェースをとる網インタフェース装置において、通知手段は、網インタフェース装置の立ち上げの過程で取得され、かつ立ち上げに要する時間の短縮に適用可能な情報に基づいて網インタフェース装置の再度の立ち上げが完了する度に、情報を外部に通知する。
すなわち、このような情報が更新される場合であっても、その情報を取得した他の網インタフェース装置は、本発明にかかわる網インタフェース装置の代替に供される網インタフェース装置として、速やかに立ち上げを完了できる。【００２１】
したがって、これらの網インタフェース装置を含んで構成される装置は、所望の系構成制御の下で系構成の更新を速やかに完結でき、総合的な信頼性が高められる。
第六の発明では、ディジタル加入者線とバックボーンネットワークとのインタフェースをとる網インタフェース装置において、通知手段は、インタフェースの過程で特定の事象が生起したときに、特定の事象に先行して行われた立ち上げに供され、その立ち上げに要する時間の短縮に適用可能な情報を外部に通知する。【００２２】
すなわち、このような情報が更新される場合であっても、その情報を取得した他の網インタフェース装置は、本発明にかかわる網インタフェース装置の代替に供される網インタフェース装置として、速やかに立ち上げを完了できる。
したがって、これらの網インタフェース装置を含んで構成される装置は、所望の系構成制御の下で系構成の更新を速やかに完結でき、総合的な信頼性が高められる。【００２３】
第七の発明では、ディジタル加入者線とバックボーンネットワークとのインタフェースに供され、かつ冗長に備えられた複数の網インタフェース装置の系構成を行う系構成制御装置において、蓄積手段は、複数の網インタフェース装置が個別に立ち上げの過程で取得し、立ち上げに要する時間の短縮に適用可能な情報を蓄積する。情報引き渡し手段は、複数の網インタフェース装置の内、現用の網インタフェース装置の障害が検出されたときに、現用の網インタフェース装置の代替に供される予備の網インタフェース装置に、現用の網インタフェース装置に対応づけられて蓄積手段に蓄積されている情報を引き渡す。【００２４】
すなわち、複数の網インタフェース装置の系構成制御は、本発明にかかわる系構成制御装置が関与することによって一元的に達成され、その系構成制御の過程では、予備の網インタフェース装置の立ち上げの高速化に供される情報が現用の網インタフェース装置からその予備のインタフェース装置に確実に引き渡される。
したがって、個々の網インタフェース装置の構成の複雑化と処理量の大幅な増加とを伴うことなく、系構成の更新の高速化が図られる。【００２５】
第八の発明では、ディジタル加入者線とバックボーンネットワークとのインタフェースに供され、かつ冗長に備えられた複数の網インタフェース装置の系構成を行う系構成制御装置において、情報引き渡し手段は、複数の網インタフェース装置の内、特定の網インタフェース装置によって通知され、かつ特定の網インタフェース装置が立ち上げの過程で取得すると共に、立ち上げに要する時間の短縮に適用可能な情報を特定の網インタフェース装置の代替に供される予備の網インタフェース装置に引き渡す。【００２６】
すなわち、複数の網インタフェース装置の系構成制御は、本発明にかかわる系構成制御装置が関与することによって一元的に達成され、その系構成制御の過程では、現用の網インタフェース装置によって取得され、かつ予備の網インタフェース装置の立ち上げの高速化に供される情報がその予備のインタフェース装置に確実に引き渡される。
したがって、個々の網インタフェース装置の構成の複雑化と処理量の大幅な増加とを伴うことなく、系構成の更新の高速化が図られる。【００２７】
第九の発明では、複数の網インタフェース手段は、ディジタル加入者線とバックボーンネットワークとのインタフェースに供され、かつ冗長に備えられる。系構成制御手段は、複数の網インタフェース手段の系構成を行う。系構成制御手段に備えられた情報蓄積手段は、複数の網インタフェース手段が個別に立ち上げの過程で取得し、かつ立ち上げに要する時間の短縮に適用可能な情報を蓄積する。さらに、系構成制御手段に備えられた情報引き渡し手段は、複数の網インタフェース手段の内、現用の網インタフェース手段の障害が検出されたときに、系構成の下で現用の網インタフェース手段の代替に供される予備の網インタフェース手段に、現用の網インタフェース手段に対応づけられて情報蓄積手段に蓄積されている情報を引き渡す。【００２８】
すなわち、複数の網インタフェース装置の系構成制御は、これらの網インタフェース手段とは別に備えられた系構成制御装置が関与することによって一元的に達成され、その系構成制御の過程では、現用の網インタフェース装置によって取得され、かつ予備の網インタフェース装置の立ち上げの高速化に供される情報がその予備のインタフェース装置に確実に引き渡される。【００２９】
したがって、個々の網インタフェース装置の構成の複雑化と処理量の大幅な増加とを伴うことなく、系構成の更新の高速化が図られる。
第十の発明では、複数の網インタフェース手段は、ディジタル加入者線とバックボーンネットワークとのインタフェースに供され、かつ冗長に備えられる。複数の網インタフェース手段の内、特定の網インタフェース手段は、これらの複数の網インタフェース手段の系構成を行い、現用系に該当する特定の網インタフェース手段の代替に系構成の下で供される予備の網インタフェース手段に、特定の網インタフェース手段が立ち上げの過程で取得し、かつ立ち上げに要する時間の短縮に適用可能な情報を引き渡す。【００３０】
すなわち、複数の網インタフェース装置の系構成制御は、これらの網インタフェース手段の何れかに該当する特定の網インタフェース手段が関与することによって達成され、その系構成制御の過程では、現用の網インタフェース装置によって取得され、かつ予備の網インタフェース装置の立ち上げの高速化に供される情報がその予備のインタフェース装置に確実に引き渡される。【００３１】
したがって、構成の標準化に併せて、系構成の更新の高速化が図られる。
第十一の発明では、複数の網インタフェース手段は、ディジタル加入者線とバックボーンネットワークとのインタフェースに供され、かつ冗長に備えられる。系構成制御手段は、複数の網インタフェース手段の系構成を行う。複数の網インタフェース手段の内、系構成の下で現用系に該当する網インタフェース手段は、個別に立ち上げの過程で取得し、かつ立ち上げに要する時間の短縮に適用可能な情報を系構成の下で予備系に該当する網インタフェース手段に引き渡す。予備系に該当する網インタフェース手段は、現用系に該当する網インタフェース手段によって引き渡された情報の内、系構成に基づく代替の対象となる網インタフェース手段によって引き渡された情報に基づいて立ち上げを図る。【００３２】
すなわち、複数の網インタフェース手段の系構成制御は、これらの網インタフェース手段の数が大きい場合であっても、上述した系構成制御手段が関与することによって一元的に達成され、その系構成制御の過程では、現用の網インタフェース装置によって取得され、かつ予備の網インタフェース装置の立ち上げの高速化に供される情報がその予備のインタフェース装置に確実に引き渡される。【００３３】
したがって、個々の網インタフェース装置の構成が複雑化と処理量の大幅な増加とを伴うことなく、系構成の更新の高速化が図られる。
なお、第六の発明では、事象が生起しない状態で上述した情報が外部に対して無用に通知されることが抑制され、かつ第三ないし第六の発明に比べて負荷の軽減が図られることを目的として、既述の特定の事象が網インタフェース装置の障害、またはインタフェースの妨げとなる障害に限定されてもよい。【００３４】
また、第三ないし第六の発明では、網インタフェース装置の系構成がこれらの網インタフェース装置の何れにも該当しない他の網インタフェース装置と直接連係することなく実現され、その系構成にかかわる負荷や機能の分散が図られることに起因する構成の複雑化や処理量の増加が緩和されることを目的として、網インタフェース装置と共に冗長に備えられた複数の網インタフェース装置の系構成を行う系構成制御手段が外部に該当してもよい。【００３５】
さらに、第三ないし第六の発明では、網インタフェース装置の系構成がこれらの網インタフェース装置による機能分散や負荷分散の下で実現され、かつ構成の複雑化や処理量の増加が許容される場合には、これらの網インタフェース装置の機能や構成の標準化が図られることを目的として、網インタフェース装置と共に冗長に備えられ、網インタフェース装置の代替に供される予備の網インタフェース装置が外部に該当してもよい。【００３６】
また、第十の発明では、予備の網インタフェース手段が立ち上げの過程で適用し、その立ち上げに要する時間の短縮を実現する情報がこの予備の網インタフェース手段に現用の網インタフェース手段から直接引き渡されることによって、系構成の更新の過程におけるこの情報の引き渡しに「現用および予備の網インタフェース手段の何れにも該当しない手段」が関与する場合に比べて、系構成の更新が速やかに達成されることを目的として、現用系としての稼働が妨げられる要因が発生したときに、特定の網インタフェース手段が予備の網インタフェース手段に、「特定の網インタフェース手段が立ち上げの過程で取得し、その立ち上げに要する時間の短縮に適用可能な情報」を引き渡してもよい。【００３７】
さらに、第十一の発明では、現用系に該当する網インタフェース手段が「現用系としての稼働」が妨げられる要因が発生したときに、予備系に該当する網インタフェース手段に、特定の網インタフェース手段が立ち上げの過程で取得し、その立ち上げに要する時間の短縮に適用可能な情報を引き渡すことによって、このような要因が発生しない状態において、予備系に該当する網インタフェース手段に上述した情報が無用に通知されることが抑制され、かつ負荷の軽減が図られてもよい。
【発明の効果】
【００３８】
上述したように本発明では、障害が発生した網インタフェース装置の代替が外部で行われる系構成制御の下で速やかに図られる。
また、本発明では、網インタフェース装置の総数が多くても、外部から通知された情報に基づいて立ち上げが速やかに完了する。
さらに、本発明では、本発明にかかわる網インタフェース装置を含んで構成された装置は、所望の系構成制御の下で系構成の更新を速やかに完結でき、かつ総合的な信頼性が高められると共に、高く維持される。【００３９】
また、本発明では、負荷の軽減が図られる。
さらに、本発明では、系構成にかかわる負荷や機能の分散が図られることに起因する構成の複雑化や処理量の増加が緩和される。
また、本発明では、機能や構成の標準化が図られる。
さらに、本発明では、構成の複雑化と処理量の大幅な増加とを伴うことなく、かつ系構成の更新の高速化が図られる。【００４０】
また、本発明では、構成の標準化に併せて、系構成の更新の高速化が図られる。
さらに、本発明では、系構成の更新の過程における既述の情報の引き渡しに、これらの現用および予備の網インタフェース手段の何れにも該当しない手段が関与する場合に比べて、その系構成の更新が速やかに達成される。
したがって、これらの発明が適用された通信システムでは、基本的な構成が変更されることなく、総合的な信頼性に併せて、サービス品質および伝送品質が高められ、かつ保守や運用にかかわる作業の効率化と簡略化とが図られる。
【図面の簡単な説明】
【００４１】
【図１】本発明の第一および第二の実施形態におけるインタフェース盤の動作フローチャートである。
【図２】本発明の第一の実施形態の動作を説明する図である。
【図３】本発明の第二の実施形態の動作を説明する図である。
【図４】本発明の第三の実施形態における制御部の動作フローチャートである。
【図５】本発明の第三の実施形態におけるインタフェース盤の動作フローチャートである。
【図６】本発明の第三の実施形態の動作を説明する図である。
【図７】本発明の第三の実施形態の他の構成における動作を説明する図である。
【図８】ディジタル加入者線を介してデータ通信サービスの提供を実現する宅内および電話局の設備の構成例を示す図である。
【図９】従来例におけるディジタル加入者線アクセス多重化装置の動作を説明する図である。
【発明を実施するための最良の形態】
【００４２】
以下、図面に基づいて本発明の実施形態について詳細に説明する。
なお、以下に記述する各実施形態の特徴は、インタフェース盤４２-1〜４２-(n+1) または制御部４４によって行われる処理の手順にあり、ハードウエアの構成については、基本的に図８に示す従来例と同じであるので、ここでは、その説明および図示を省略する。
［第一の実施形態］
図１は、本発明の第一および第二の実施形態におけるインタフェース盤の動作フローチャートである。【００４３】
図２は、本発明の第一の実施形態の動作を説明する図である。
以下、図１、図２および図８を参照して本発明の第一の実施形態の動作を説明する。
制御部４４は、既述の監視制御および系構成制御を従来例と同様にして行い、かつ内部バス４３を介してインタフェース盤４２-1〜４２-(n+1) 宛に、これらのインタフェース盤４２-1〜４２-(n+1) の内、予備系に該当するインタフェース盤（ここでは、「インタフェース盤４２-(n+1) 」であると仮定する。）の識別子（以下、「予備系識別子」という。）を通知する（図２(1))。【００４４】
インタフェース盤４２-cは、始動時に、加入者線２１-cを介してＡＤＳＬモデム１３-cと連係し、かつ既述の「ハンドシェーク」および「トレーニング」を含む初期化処理を行うことによって、スイッチ４１-c、スプリッタ３１-cおよび加入者線２１-cを介して、宅内１０-cに備えられたＡＤＳＬモデム１３-cとの間に通信路を確立する。
さらに、インタフェース盤４２-cは、このような通信路の確立を完了すると、下記の処理を個別に行う。
・  上述した初期化処理の過程で取得され、かつ後述する「ファストリトレイン」に供される情報の集合である「プロファイル」を保持する（図１(1)、図２(2))。
・  インタフェース盤４２-1〜４２-(n+1) の内、上述した予備系識別子で示されるインタフェース盤４２-(n+1) 宛に、この「プロファイル」を内部バス４３を介して引き渡す（図１(2)、図２(3))。【００４５】
インタフェース盤４２-(n+1) は、このようにしてインタフェース盤４２-cから引き渡された「プロファイル」をそのインタフェース盤４２-cの識別子（以下、「現用系識別子」という。）に対応付けて保持する（図１(3)、図２(a))。
また、制御部４４は、インタフェース盤４２-1〜４２-(n+1)の監視制御の下で、例えば、インタフェース盤４２-1に障害が発生し（図２(4))、かつ「予備のインタフェース盤」であるインタフェース盤４２-(n+1)が正常である場合には、下記の処理を行う。
・  スイッチ４１-1の共通接点をメーク接点に接続することによって、インタフェース盤４２-(n+1)にスプリッタ３１-1の高域端子を接続する（図２(5))。
・  内部バス４３を介してそのインタフェース盤４２-(n+1)宛に、「上記の障害が発生したインタフェース盤４２-1を示す障害系識別子」を含み、かつ「その障害系識別子で示されるインタフェース盤４２-1に代わる現用のインタフェース盤」としての稼働の開始を指令する（図２(6)）。【００４６】
インタフェース盤４２-(n+1)は、先行してインタフェース盤４２-1〜４２-nから引き渡され、かつ保持されている「プロファイル」の内、対応する「現用系識別子」が上記の「障害系識別子」に等しい「プロファイル」に基づいて、例えば、ＩＴＵ−Ｔ(International Telecommunication Union-Telecommunication Standardization Sector)の勧告Ｇ．９９２．２に定義される「ファーストリトレイン」を行う（図１(4)、図２(b))ことによって、宅内１０-1に備えられたＡＤＳＬモデム１３-1との間に代替の通信路を確立する。【００４７】
また、このような「ファーストリトレイン」の過程では、既述の初期化処理として行われる処理の内、特に「トレーニング」に相当する処理の手順は、上述した「プロファイル」が適用されることによって簡略化され、しかも、その「プロファイル」を新たに求める必要がないために、大幅に短縮される。
さらに、「ファーストリトレイン」は、本来的には、加入者線２１-cの伝送帯域の低域を利用する加入者線信号方式の下で、オンフック、オフフック、極性反転その他に応じて発生する大きなレベルのパルスの高調波成分が「高域」に分布することに起因する伝送品質の劣化と、データ通信の中断との速やかな解消を目的として起動され、しかも、既存の技術に基づいて容易に実現される。【００４８】
したがって、本実施形態によれば、インタフェース盤４２-1〜４２-nの何れも、コストが増加し、あるいは構成が複雑化することなく（Ｎ＋１）予備方式に基づいて冗長に構成され、かつ故障時には、系構成の変更である「予備のインタフェース盤４２-(n+1) による代替」が従来例より速やかに図られると共に、データ通信の再開が高速に実現される。
［第二の実施形態］
図３は、本発明の第二の実施形態の動作を説明する図である。【００４９】
以下、図１、図３および図８を参照して本発明の第二の実施形態の動作を説明する。
制御部４４は、既述の監視制御および系構成制御を従来例と同様にして行い、かつ内部バス４３を介してインタフェース盤４２-1〜４２-(n+1) 宛に、これらのインタフェース盤４２-1〜４２-(n+1) の内、予備系に該当するインタフェース盤（ここでは、「インタフェース盤４２-(n+1) 」であると仮定する。）の識別子（以下、「予備系識別子」という。）を通知する（図３(1))。【００５０】
インタフェース盤４２-cは、始動時に、加入者線２１-cを介してＡＤＳＬモデム１３-cと連係し、かつ既述の「ハンドシェーク」および「トレーニング」を含む初期化処理を行うことによって、スイッチ４１-c、スプリッタ３１-cおよび加入者線２１-cを介して、宅内１０-cに備えられたＡＤＳＬモデム１３-cとの間に通信路を確立する。
さらに、インタフェース盤４２-cは、このような通信路の確立を完了すると、上述した初期化処理の過程で取得され、かつ既述の「ファーストリトレイン」に供される「プロファイル」を保持する（図１(1)、図３(2))。【００５１】
また、例えば、インタフェース盤４２-1は、そのインタフェース盤４２-cの障害、または「このインタフェース盤４２-cの正常な動作が妨げられるが予備のインタフェース盤４２-(n+1) による代替により復旧が可能な事象」を自立的に、または制御部４４との連係の下で検出する（図１(5)、図３(3)) と、インタフェース盤４２-1〜４２-(n+1) の内、上述した予備系識別子で示されるインタフェース盤４２-(n+1) 宛に、この「プロファイル」を内部バス４３を介して引き渡す（図１(6)、図３(4))。【００５２】
インタフェース盤４２-(n+1) は、このようにしてインタフェース盤４２-cから引き渡された「プロファイル」をそのインタフェース盤４２-cの識別子（以下、「現用系識別子」という。）に対応付けて保持する（図１(3)、図３(a))。
また、制御部４４は、インタフェース盤４２-1〜４２-(n+1)の監視制御の下で、例えば、インタフェース盤４２-1に上述した障害または事象が発生した（図３(3))時点で、「予備のインタフェース盤」であるインタフェース盤４２-(n+1)が正常である場合には、下記の処理を行う。
・  スイッチ４１-1の共通接点をメーク接点に接続することによって、インタフェース盤４２-(n+1)にスプリッタ３１-1の高域端子を接続する（図３(5))。
・  内部バス４３を介してそのインタフェース盤４２-(n+1)宛に、「上記の障害が発生したインタフェース盤４２-1を示す障害系識別子」を含み、かつ「その障害系識別子で示されるインタフェース盤４２-1に代わる現用のインタフェース盤」としての稼働の開始を指令する（図１(3)、図３(6)）。【００５３】
インタフェース盤４２-(n+1)は、先行してインタフェース盤４２-1〜４２-nから引き渡され、かつ保持されている「プロファイル」の内、対応する「現用系識別子」が上記の「障害系識別子」に等しい「プロファイル」に基づいて、既述の第一の実施形態と同様に「ファーストリトレイン」を行う（図１(4)、図３(b)) ことによって、宅内１０-1に備えられたＡＤＳＬモデム１３-1との間に代替の通信路を確立する。【００５４】
すなわち、インタフェース盤４２-1〜４２-nの内、並行して上述した障害が発生し、あるいは既述の事象が検出され得るインタフェース盤の最大の数が少ないほど、予備のインタフェース盤４２-(n+1) に備えられ、かつプロファイルの保持に供される記憶領域のサイズの削減が図られる。また、これらのインタフェース盤４２-1〜４２-nの何れも、既述の第一の実施形態と同様に、故障時には、系構成の変更である「予備のインタフェース盤４２-(n+1) による代替」が従来例より速やかに図られ、かつデータ通信の再開が高速に実現される。【００５５】
したがって、本実施形態によれば、収容されるＡＤＳＬ（ディジタル加入者線）の総数が大きい場合であっても、既述の第一の実施形態に比べてコストおよび消費電力の削減が図られる。
［第三の実施形態］
図４は、本発明の第三の実施形態における制御部の動作フローチャートである。【００５６】
図５は、本発明の第三の実施形態におけるインタフェース盤の動作フローチャートである。
図６は、本発明の第三の実施形態の動作を説明する図である。
なお、図６では、既述の第一の実施形態との対応関係の明確化を目的として、図２に示す処理と同じ処理については、その図２と同じ番号を付与して示す。【００５７】
以下、図４〜図６および図８を参照して本発明の第三の実施形態の動作を説明する。
制御部４４は、既述の監視制御および系構成制御を従来例と同様にして行い、インタフェース盤４２-1〜４２-(n+1) の内、予備系に該当するインタフェース盤（ここでは、「インタフェース盤４２-(n+1) 」であると仮定する。）の識別子である「予備系識別子」を保持する。【００５８】
インタフェース盤４２-cは、始動時に、加入者線２１-cを介してＡＤＳＬモデム１３-cと連係し、かつ既述の初期化処理を行うことによって、スイッチ４１-c、スプリッタ３１-cおよび加入者線２１-cを介して、宅内１０-cに備えられたＡＤＳＬモデム１３-cとの間に通信路を確立する。
さらに、インタフェース盤４２-cは、このような通信路の確立を完了すると、下記の処理を個別に行う。
・  上述した初期化処理の過程で取得され、かつ後述する「ファストリトレイン」に供される情報の集合である「プロファイル」を保持する（図５(1)、図６(2))。
・  内部バス４３を介して制御部４４にこの「プロファイル」を引き渡す（図５(2)、図６(A))が、予備のインタフェース盤４２-(n+1) 宛には引き渡さない。【００５９】
制御部４４は、このようにしてインタフェース盤４２-cから引き渡された「プロファイル」をそのインタフェース盤４２-cの識別子（以下、「現用系識別子」という。）に対応付けて保持する（図４(1)、図６(B))。
また、制御部４４は、インタフェース盤４２-1〜４２-(n+1)の監視制御の下で、例えば、インタフェース盤４２-1に障害が発生し（図６(4))、かつ「予備のインタフェース盤」であるインタフェース盤４２-(n+1)が正常であることを識別すると、下記の処理を行う。
・  スイッチ４１-1の共通接点をメーク接点に接続することによって、インタフェース盤４２-(n+1)にスプリッタ３１-1の高域端子を接続する（図４(2)、図６(5))。
・  内部バス４３を介してそのインタフェース盤４２-(n+1)宛に、『「上記の障害が発生したインタフェース盤４２-1を示す障害系識別子」と共に、「そのインタフェース部４２-1から先行して引き渡されたプロファイル」を含み、かつ「その障害系識別子で示されるインタフェース盤４２-1に代わる現用のインタフェース盤」としての稼働の開始の指令』を送出する（図４(3)、図６(C)）。【００６０】
インタフェース盤４２-(n+1)は、このような指令に含まれる「プロファイル」に基づいて、既述のＩＴＵ−Ｔの勧告Ｇ．９９２．２に定義される「ファーストリトレイン」を行う（図５(7)、図２(D))ことによって、宅内１０-1に備えられたＡＤＳＬモデム１３-1との間に代替の通信路を確立する。
また、このような「ファーストリトレイン」の過程では、既述の初期化処理として行われる処理の内、特に「トレーニング」に相当する処理の手順は、上述した「プロファイル」が適用されることによって簡略化される。しかも、この処理の手順は、既述の「プロファイル」を新たに求める必要がないために、既述の第一の実施形態と同様に短縮される。【００６１】
さらに、このような「ファーストリトレイン」に適用される「プロファイル」は、そのインタフェース盤４２-1〜４２-nの台数の如何にかかわらず、制御部４４に一端蓄積された後に予備のインタフェース盤４２-(n+1)に引き渡される。
したがって、本実施形態によれば、インタフェース盤４２-(n+1) に（あるいはインタフェース盤４２-1〜４２-(n+1) の何れにも）、現用のインタフェース盤の全てから個別に引き渡された「プロファイル」の保持に供される大きなサイズの記憶領域が備えられることなく、インタフェース盤４２-1〜４２-(n+1) の系構成が（Ｎ＋１）予備方式に基づいて実現され、かつ障害が発生したインタフェース盤が従来例より速やかに予備のインタフェース盤４２-(n+1) によって代替される。【００６２】
なお、本実施形態では、既述の第一の実施形態における予備のインタフェース盤-(n+1)に代わって、制御部４４が現用のインタフェース盤４２-1〜４２-nから通知された「プロファイル」を保持し、これらのインタフェース盤４２-1〜４２-nの内、障害が発生したインタフェース盤から先行して通知された「プロファイル」を予備のインタフェース盤-(n+1) に転送することによって構成されている。【００６３】
しかし、本実施形態は、このような構成に限定されず、例えば、図７に太線で示され、かつ図５に点線で示すように、上述した第一の実施形態に代えて第二の実施形態が適用され、かつ現用のインタフェース盤４２-1〜４２-nから通知された「プロファイル」の保持と、これらのインタフェース盤４２-1〜４２-nの内、障害が発生したインタフェース盤から先行して通知された「プロファイル」の予備のインタフェース盤-(n+1) に対する転送とが制御部４４によって行われてもよい。【００６４】
なお、図７では、既述の第二の実施形態との対応関係の明確化を目的として、図３に示す処理と同じ処理については、その図３と同じ番号を付与して示す。
また、上述した各実施形態では、（Ｎ＋１）予備方式が適用されている。
しかし、本発明は、障害が発生したインタフェース盤の代替に供される予備のインタフェース盤において、既述の「プロファイル」に基づくファーストリトレインが行われることによって、ＡＤＳＬの障害の復旧が高速に達成されるならば、個々の現用のインタフェース盤が二重化されることによって構成されてもよい。【００６５】
さらに、上述した各実施形態では、予備のインタフェース盤が現用のインタフェース盤としての稼働を高速に開始するために、ＩＴＵ−Ｔ勧告Ｇ．９９２．２に定義される「ファーストリトレイン」が行われ、その「ファーストリトレイン」に既述の「プロファイル」が適用されている。
しかし、本発明はこのような構成に限定されず、例えば、インタフェース盤の始動時に行われた「トレーニング」等の過程で取得され、かつ上述した予備のインタフェース盤の稼働の高速化に適用可能であるどのような情報が既述の「プロファイル」に代えて適用されてもよく、さらに、その高速化は、この情報に基づいて行われるならば、「ファーストリトレイン」に該当しないどのような処理として実現されてもよい。【００６６】
さらに、上述した各実施形態では、ディジタル加入者線アクセス多重化装置４０に制御部４４が備えられている。
しかし、このようなディジタル加入者線アクセス多重化装置４０は、インタフェース盤４２-1〜４２-(n+1) の分散処理、あるいはそのディジタル加入者線アクセス多重化装置４０の上位装置によって行われる処理として、制御部４４の機能（インタフェース盤４２-1〜４２-(n+1) の監視制御や系構成制御を含む。）が実現されるならば、その制御部４４が備えられることなく構成されてもよい。【００６７】
また、制御部４４によって行われる処理の内、既述の監視制御、系構成制御その他の処理の過程におけるインタフェース盤４２-1〜４２-(n+1) との連係は、コンテンション方式とポーリング方式との何れに基づいて実現されてもよい。
さらに、上述した各実施形態では、インタフェース盤４２-1〜４２-nは、始動時または障害が発生したときに、予備のインタフェース盤４２-(n+1) または制御部４４に「プロファイル」を引き渡している。【００６８】
しかし、このような「プロファイル」の引き渡しが行われる時点は、例えば、上記の故障その他の事象に応じて「プロファイル」が更新される可能性がある場合には、系の構成に対する柔軟な適応と、信頼性、伝送品質およびサービス品質の確保とを目的として、下記の何れかの時点に設定されてもよい。
・  予め決められた周期で与えられる時点
・  既述のオンフック、オフフック、極性反転等の本来的な事象に応じて起動された「ファーストリトレイン」が完了した時点
・  通信手順や呼設定の過程で所望の事象が識別された時点
・  インタフェース盤４２-1〜４２-(n+1) の障害、またはこのような障害の前兆や要因となる事象が発生した時点
また、上述した各実施形態では、障害が発生したＡＤＳＬの復旧が（Ｎ＋１）予備方式に基づいて物理レイヤにおいて図られている。【００６９】
しかし、本発明はこのような構成に限定されず、例えば、制御部４４がデータリンク層以上のレイヤにおける通信手順に適合した振る舞いを行うことによって、障害が発生したＡＤＳＬの復旧が図られてもよい。
さらに、本発明は上述した実施形態に限定されるものではなく、本発明の範囲において多様な実施形態が可能であり、かつ構成装置の全てまたは一部にどのような改良が施されてもよい。
【図１】
2006030499.tif 000002
【図２】
2006030499.tif 000003
【図３】
2006030499.tif 000004
【図４】
2006030499.tif 000005
【図５】
2006030499.tif 000006
【図６】
2006030499.tif 000007
【図７】
2006030499.tif 000008
【図８】
2006030499.tif 000009
【図９】
2006030499.tif 000010
【国際調査報告】
2006030499.tif 000011
2006030499.tif 000012
2006030499.tif 000013
2006030499.tif 000014